【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
基地局（ＢＳ）による、共有無線周波数スペクトル（ＳＲＦＳ）帯域上のワイヤレス通信のための方法であって、
無線フレーム期間の少なくとも一部分の間、前記ＳＲＦＳ帯域への競合に勝つことと、ここにおいて、前記無線フレーム期間が複数のサブフレーム期間を備える、
第１の期間中に第１の送信電力で第１の信号を送信することと、
第２の期間中に第２の送信電力で第２の信号を送信することと、ここにおいて、前記第１の送信電力および前記第２の送信電力が、前記無線フレーム期間に関して決定された電力レベルに少なくとも部分的に基づいて制御され、前記無線フレーム期間に関する前記電力レベルが、ユーザ機器（ＵＥ）によって測定された、ネイバリングセルの第１の経路損失と、前記ＢＳによって測定された、前記ネイバリングセルの第２の経路損失とに少なくとも部分的に基づいて決定される、
を備える、方法。
【請求項２】
前記ＳＲＦＳ帯域が無認可無線周波数スペクトル（ＵＲＦＳ）帯域を備える、請求項１に記載の方法。
【請求項３】
前記第１の送信電力および前記第２の送信電力が同じ送信電力レベルである、請求項１に記載の方法。
【請求項４】
前記第１の期間中に送信される前記第１の信号がダウンリンクチャネル使用ビーコン信号（ＤＬ−ＣＵＢＳ）を備える、請求項１に記載の方法。
【請求項５】
前記第２の送信電力が、前記無線フレーム期間のダウンリンクサブフレーム中でダウンリンク信号と補足信号とを送信すること、前記無線フレーム期間の前記ダウンリンクサブフレーム中の送信持続時間を調整すること、前記無線フレーム期間の前記ダウンリンクサブフレーム中で送信される信号を電力増加させること、または前記無線フレーム期間の前記ダウンリンクサブフレーム中での送信のために割り当てられるリソースブロック（ＲＢ）の数を調整することのうちの少なくとも１つによって制御される、請求項１に記載の方法。
【請求項６】
ユーザ機器（ＵＥ）による、共有無線周波数スペクトル（ＳＲＦＳ）帯域上のワイヤレス通信のための方法であって、
無線フレーム期間の少なくとも一部分の間、前記ＳＲＦＳ帯域への競合に勝つことと、ここにおいて、前記無線フレーム期間が複数のサブフレーム期間を備える、
前記無線フレーム期間の第１のサブフレーム期間中に第１の送信電力で第１の信号を送信することと、
前記無線フレーム期間の第２のサブフレーム期間中に第２の送信電力で第２の信号を送信することと、ここにおいて、前記第１の送信電力および前記第２の送信電力が、前記無線フレーム期間に関して決定された電力レベルに少なくとも部分的に基づいて制御され、前記無線フレーム期間に関する前記電力レベルが、前記ＵＥによって測定された、１つまたは複数のネイバリングセルの第１の経路損失と、サービング基地局によって測定された、前記１つまたは複数のネイバリングセルの第２の経路損失とに少なくとも部分的に基づいて決定される、
を備える、方法。
【請求項７】
前記ＳＲＦＳ帯域が無認可無線周波数スペクトル（ＵＲＦＳ）帯域を備える、請求項６に記載の方法。
【請求項８】
前記第１の送信電力および前記第２の送信電力が同じ送信電力レベルである、請求項６に記載の方法。
【請求項９】
前記第１のサブフレーム期間中に送信される前記第１の信号がアップリンクチャネル使用ビーコン信号（ＵＬ−ＣＵＢＳ）を備える、請求項６に記載の方法。
【請求項１０】
前記第１の送信電力および前記第２の送信電力が、閉ループ電力制御を介して制御される、請求項９に記載の方法。
【請求項１１】
前記第２の信号が物理アップリンク共有チャネル（ＰＵＳＣＨ）送信を備え、
前記ＰＵＳＣＨ送信のための前記第２の送信電力が、前記第１の送信電力に少なくとも部分的に基づく、請求項１０に記載の方法。
【請求項１２】
前記第１の送信電力および前記第２の送信電力が、開ループ制御に少なくとも部分的に基づく、請求項９に記載の方法。
【請求項１３】
１つまたは複数のネイバリングセルの信号強度を測定することと、
前記１つまたは複数のネイバリングセルの前記測定された信号強度をサービングセルに報告することと
をさらに備える、請求項６に記載の方法。
【請求項１４】
報告された測定に基づいて前記サービングセルにおいて決定されたターゲット電力レベルの指示を受信することをさらに備える、請求項１３に記載の方法。
【請求項１５】
前記１つまたは複数のネイバリングセルのうちの少なくとも１つが、前記サービングセルとは異なる事業者に関連するか、または前記サービングセルとは異なる無線アクセス技術（ＲＡＴ）に関連する、請求項１３に記載の方法。
【請求項１６】
前記１つまたは複数のネイバリングセルの前記測定された信号強度に少なくとも部分的に基づいて、前記第１の送信電力と前記第２の送信電力とを自律的に決定することをさらに備える、請求項１３に記載の方法。
【請求項１７】
前記第２の送信電力が、アップリンクサブフレーム期間中に送信される１つまたは複数のアップリンクチャネルに少なくとも部分的に基づく、請求項６に記載の方法。
【請求項１８】
前記第２の送信電力が、物理アップリンク共有チャネル（ＰＵＳＣＨ）のための固定送信電力、または物理アップリンク制御チャネル（ＰＵＣＣＨ）のための動的に調整可能な送信電力のうちの少なくとも１つに少なくとも部分的に基づく、請求項１７に記載の方法。
【請求項１９】
前記無線フレーム期間に関して前記電力レベルが、前記サービング基地局によって選択された複数の電力制御モードのうちの１つのシグナリングに少なくとも部分的に基づいてさらに決定される、請求項６に記載の方法。
【請求項２０】
前記複数の電力制御モードのうちの前記１つが、チャネルまたは干渉状態、あるいは展開シナリオのうちの少なくとも１つに基づいて、前記サービング基地局によって選択される、請求項１９に記載の方法。
【請求項２１】
前記第２の信号が物理ランダムアクセスチャネル（ＰＲＡＣＨ）送信を備える、請求項６に記載の方法。
【請求項２２】
前記第２の送信電力が前記ＰＲＡＣＨの後続の送信中で調整可能電力制御モードを介して増加される、請求項２１に記載の方法。
【請求項２３】
前記ＰＲＡＣＨの１つまたは複数の失敗した送信試みがある場合、前記ＰＲＡＣＨの送信が前記ＰＲＡＣＨの後続の送信中で複数の送信時間間隔（ＴＴＩ）で繰り返される、請求項２１に記載の方法。
【請求項２４】
前記第１の送信電力と前記第２の送信電力とのための一貫した送信電力が、複数のコンポーネントキャリアのうちの１つまたは複数のコンポーネントキャリアの各々のために維持されるように、前記第１の送信電力および第２の送信電力が制御される、請求項６に記載の方法。
【請求項２５】
最大電力制限を決定することと、
前記最大電力制限に少なくとも部分的に基づいて、２つまたはそれ以上のコンポーネントキャリアの中の少なくとも１つのコンポーネントキャリアのための電力スケーリングを実行することによって第１の送信電力と第２の送信電力とを制御することと、ここにおいて、電力スケーリングは、スケーリングの後に、前記第１のサブフレーム期間と前記第２のサブフレーム期間とのための一貫した送信電力が前記少なくとも１つのコンポーネントキャリアのために維持されるようなものである、
をさらに備える、請求項２４に記載の方法。
【請求項２６】
電力スペクトル密度（ＰＳＤ）と総電力ヘッドルームとを含む電力ヘッドルーム報告（ＰＨＲ）を送信することをさらに備える、請求項６に記載の方法。
【請求項２７】
共有無線周波数スペクトル（ＳＲＦＳ）帯域上のワイヤレス通信のための装置であって、
少なくとも１つのプロセッサと、
前記少なくとも１つのプロセッサに結合されたメモリとを備え、前記少なくとも１つのプロセッサは、
無線フレーム期間の少なくとも一部分の間、前記ＳＲＦＳ帯域への競合に勝つことと、ここにおいて、前記無線フレーム期間が複数のサブフレーム期間を備える、
第１の期間中に第１の送信電力で第１の信号を送信することと、
第２の期間中に第２の送信電力で第２の信号を送信することと、ここにおいて、前記第１の送信電力および前記第２の送信電力が、前記無線フレーム期間に関して決定された電力レベルに少なくとも部分的に基づいて制御される、
を行うように構成され、
前記少なくとも１つのプロセッサが、ユーザ機器（ＵＥ）によって測定された、ネイバリングセルの第１の経路損失と、前記装置によって測定された、前記ネイバリングセルの第２の経路損失とに少なくとも部分的に基づいて前記無線フレーム期間に関する前記電力レベルを決定するように構成される、装置。
【請求項２８】
共有無線周波数スペクトル（ＳＲＦＳ）帯域上のワイヤレス通信のための装置であって、
少なくとも１つのプロセッサと、
前記少なくとも１つのプロセッサに結合されたメモリとを備え、前記少なくとも１つのプロセッサは、
無線フレーム期間の少なくとも一部分の間、前記ＳＲＦＳ帯域への競合に勝つことと、ここにおいて、前記無線フレーム期間が複数のサブフレーム期間を備える、
前記無線フレーム期間の第１のサブフレーム期間中に第１の送信電力で第１の信号を送信することと、
前記無線フレーム期間の第２のサブフレーム期間中に第２の送信電力で第２の信号を送信することと、ここにおいて、前記第１の送信電力および前記第２の送信電力が、前記無線フレーム期間に関して決定された電力レベルに少なくとも部分的に基づいて制御される、
を行うように構成され、
前記少なくとも１つのプロセッサが、前記装置によって測定された、１つまたは複数のネイバリングセルの第１の経路損失と、サービング基地局によって測定された、前記１つまたは複数のネイバリングセルの第２の経路損失とに少なくとも部分的に基づいて前記無線フレーム期間に関する前記電力レベルを決定するように構成される、装置。
【手続補正２】
【補正対象書類名】明細書
【補正対象項目名】０１３９
【補正方法】変更
【補正の内容】
【０１３９】
[0144]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、本願の出願当初の特許請求の範囲に記載された発明を付記する。
［Ｃ１］
基地局（ＢＳ）による、共有無線周波数スペクトル（ＳＲＦＳ）帯域上のワイヤレス通信のための方法であって、
無線フレーム期間の少なくとも一部分の間、前記ＳＲＦＳ帯域への競合に勝つことと、ここにおいて、前記無線フレーム期間が複数のサブフレーム期間を備える、
第１の期間中に第１の送信電力で第１の信号を送信することと、
第２の期間中に第２の送信電力で第２の信号を送信することと、ここにおいて、前記第１の送信電力および前記第２の送信電力が、前記無線フレーム期間に関して決定された電力レベルに少なくとも部分的に基づいて制御される、を備える、方法。
［Ｃ２］
前記ＳＲＦＳ帯域が無認可無線周波数スペクトル（ＵＲＦＳ）帯域を備える、Ｃ１に記載の方法。
［Ｃ３］
前記第１の送信電力および前記第２の送信電力が同じ送信電力レベルである、Ｃ１に記載の方法。
［Ｃ４］
前記第１の期間中に送信される前記第１の信号がダウンリンクチャネル使用ビーコン信号（ＤＬ−ＣＵＢＳ）を備える、Ｃ１に記載の方法。
［Ｃ５］
前記第２の送信電力が、前記無線フレーム期間のダウンリンクサブフレーム中でダウンリンク信号と補足信号とを送信すること、前記無線フレーム期間の前記ダウンリンクサブフレーム中の送信持続時間を調整すること、前記無線フレーム期間の前記ダウンリンクサブフレーム中で送信される信号を電力増加させること、または前記無線フレーム期間の前記ダウンリンクサブフレーム中での送信のために割り当てられるリソースブロック（ＲＢ）の数を調整することのうちの少なくとも１つによって制御される、Ｃ１に記載の方法。
［Ｃ６］
前記無線フレーム期間の前記電力レベルが、ユーザ機器（ＵＥ）によって測定された、ネイバリングセルの第１の経路損失と、前記ＢＳによって測定された、前記ネイバリングセルの第２の経路損失とに少なくとも部分的に基づいて決定される、Ｃ１に記載の方法。
［Ｃ７］
ユーザ機器（ＵＥ）による、共有無線周波数スペクトル（ＳＲＦＳ）帯域上のワイヤレス通信のための方法であって、
無線フレーム期間の少なくとも一部分の間、前記ＳＲＦＳ帯域への競合に勝つことと、ここにおいて、前記無線フレーム期間が複数のサブフレーム期間を備える、
前記無線フレーム期間の第１のサブフレーム期間中に第１の送信電力で第１の信号を送信することと、
前記無線フレーム期間の第２のサブフレーム期間中に第２の送信電力で第２の信号を送信することと、ここにおいて、前記第１の送信電力および前記第２の送信電力が、前記無線フレーム期間に関して決定された電力レベルに少なくとも部分的に基づいて制御される、を備える、方法。
［Ｃ８］
前記ＳＲＦＳ帯域が無認可無線周波数スペクトル（ＵＲＦＳ）帯域を備える、Ｃ７に記載の方法。
［Ｃ９］
前記第１の送信電力および前記第２の送信電力が同じ送信電力レベルである、Ｃ７に記載の方法。
［Ｃ１０］
前記第１のサブフレーム期間中に送信される前記第１の信号がアップリンクチャネル使用ビーコン信号（ＵＬ−ＣＵＢＳ）を備える、Ｃ７に記載の方法。
［Ｃ１１］
前記第１の送信電力および前記第２の送信電力が、閉ループ電力制御を介して制御される、Ｃ１０に記載の方法。
［Ｃ１２］
前記第２の信号が物理アップリンク共有チャネル（ＰＵＳＣＨ）送信を備え、
前記ＰＵＳＣＨ送信のための前記第２の送信電力が、前記第１の送信電力に少なくとも部分的に基づく、Ｃ１１に記載の方法。
［Ｃ１３］
前記第１の送信電力および前記第２の送信電力が、開ループ制御に少なくとも部分的に基づく、Ｃ１０に記載の方法。
［Ｃ１４］
１つまたは複数のネイバリングセルの信号強度を測定することと、
前記１つまたは複数のネイバリングセルの前記測定された信号強度をサービングセルに報告することとをさらに備える、Ｃ７に記載の方法。
［Ｃ１５］
報告された測定に基づいて前記サービングセルにおいて決定されたターゲット電力レベルの指示を受信することをさらに備える、Ｃ１４に記載の方法。
［Ｃ１６］
前記１つまたは複数のネイバリングセルのうちの少なくとも１つが、前記サービングセルとは異なる事業者に関連するか、または前記サービングセルとは異なる無線アクセス技術（ＲＡＴ）に関連する、Ｃ１４に記載の方法。
［Ｃ１７］
前記１つまたは複数のネイバリングセルの前記測定された信号強度に少なくとも部分的に基づいて、前記第１の送信電力と前記第２の送信電力とを自律的に決定することをさらに備える、Ｃ１４に記載の方法。
［Ｃ１８］
前記無線フレーム期間の前記電力レベルが、前記ＵＥによって測定された、１つまたは複数のネイバリングセルの第１の経路損失と、サービング基地局によって測定された、前記１つまたは複数のネイバリングセルの第２の経路損失とに少なくとも部分的に基づいて決定される、Ｃ７に記載の方法。
［Ｃ１９］
前記第２の送信電力が、アップリンクサブフレーム期間中に送信される１つまたは複数のアップリンクチャネルに少なくとも部分的に基づく、Ｃ７に記載の方法。
［Ｃ２０］
前記第２の送信電力が、物理アップリンク共有チャネル（ＰＵＳＣＨ）のための固定送信電力、または物理アップリンク制御チャネル（ＰＵＣＣＨ）のための動的に調整可能な送信電力のうちの少なくとも１つに少なくとも部分的に基づく、Ｃ１９に記載の方法。
［Ｃ２１］
前記無線フレーム期間に関して前記電力レベルが、サービング基地局によって選択された複数の電力制御モードのうちの１つのシグナリングに少なくとも部分的に基づいて決定される、Ｃ７に記載の方法。
［Ｃ２２］
前記複数の電力制御モードのうちの前記１つが、チャネルまたは干渉状態、あるいは展開シナリオのうちの少なくとも１つに基づいて、前記サービング基地局によって選択される、Ｃ２１に記載の方法。
［Ｃ２３］
前記第２の信号が物理ランダムアクセスチャネル（ＰＲＡＣＨ）送信を備える、Ｃ７に記載の方法。
［Ｃ２４］
前記第２の送信電力が前記ＰＲＡＣＨの後続の送信中で調整可能電力制御モードを介して増加される、Ｃ２３に記載の方法。
［Ｃ２５］
前記ＰＲＡＣＨの１つまたは複数の失敗した送信試みがある場合、前記ＰＲＡＣＨの送信が前記ＰＲＡＣＨの後続の送信中で複数の送信時間間隔（ＴＴＩ）で繰り返される、Ｃ２３に記載の方法。
［Ｃ２６］
前記第１の送信電力と前記第２の送信電力とのための一貫した送信電力が、複数のコンポーネントキャリアのうちの１つまたは複数のコンポーネントキャリアの各々のために維持されるように、前記第１の送信電力および第２の送信電力が制御される、Ｃ７に記載の方法。
［Ｃ２７］
最大電力制限を決定することと、
前記最大電力制限に少なくとも部分的に基づいて、２つまたはそれ以上のコンポーネントキャリアの中の少なくとも１つのコンポーネントキャリアのための電力スケーリングを実行することによって第１の送信電力と第２の送信電力とを制御することと、ここにおいて、電力スケーリングは、スケーリングの後に、前記第１のサブフレーム期間と前記第２のサブフレーム期間とのための一貫した送信電力が前記少なくとも１つのコンポーネントキャリアのために維持されるようなものである、をさらに備える、Ｃ２６に記載の方法。
［Ｃ２８］
電力スペクトル密度（ＰＳＤ）と総電力ヘッドルームとを含む電力ヘッドルーム報告（ＰＨＲ）を送信することをさらに備える、Ｃ７に記載の方法。
［Ｃ２９］
基地局による、共有無線周波数スペクトル（ＳＲＦＳ）帯域上のワイヤレス通信のための装置であって、
無線フレーム期間の少なくとも一部分の間、前記ＳＲＦＳ帯域への競合に勝つことと、ここにおいて、前記無線フレーム期間が複数のサブフレーム期間を備える、
第１の期間中に第１の送信電力で第１の信号を送信することと、
第２の期間中に第２の送信電力で第２の信号を送信することと、ここにおいて、前記第１の送信電力および前記第２の送信電力が、前記無線フレーム期間に関して決定された電力レベルに少なくとも部分的に基づいて制御される、を行うように構成された少なくとも１つのプロセッサと、
前記少なくとも１つのプロセッサに結合されたメモリとを備える、装置。
［Ｃ３０］
ユーザ機器による、共有無線周波数スペクトル（ＳＲＦＳ）帯域上のワイヤレス通信のための装置であって、
無線フレーム期間の少なくとも一部分の間、前記ＳＲＦＳ帯域への競合に勝つことと、ここにおいて、前記無線フレーム期間が複数のサブフレーム期間を備える、
前記無線フレーム期間の第１のサブフレーム期間中に第１の送信電力で第１の信号を送信することと、
前記無線フレーム期間の第２のサブフレーム期間中に第２の送信電力で第２の信号を送信することと、ここにおいて、前記第１の送信電力および前記第２の送信電力が、前記無線フレーム期間に関して決定された電力レベルに少なくとも部分的に基づいて制御される、を行うように構成された少なくとも１つのプロセッサと、
前記少なくとも１つのプロセッサに結合されたメモリとを備える、装置。